(57)【要約】【課題】上げ下げ窓に取付けしない単体の状態で釣合力を調整できるバランサーとする。【解決手段】筒１０と捻りばね１１と回転体１２とスパイラルロッド１３を備え、そのスパイラルロッド１３を筒１０の長手方向に移動することで回転体１２が回転し、その回転体１２の回転によって捻りばね１１が巻き締め、巻き戻しすると共に、スパイラルロッド１０とともに回転体１２が一体的に回転するバランサー本体と、このスパイラルロッド１３に連結した可動部材１４を備え、前記筒１０の外周面１０ｂの下端部１０ｃと可動部材１４の凹部１４ａが相互に回転しないように嵌合するようにしたバランサーで、前記可動部材１４とともにスパイラルロッド１３を一方向に回転して捻りばね１１を巻き締めた状態で、前述のように筒１０と可動部材１４を嵌合することで可動部材１４と筒１０が相互に回転しないように保持することで、釣合力を調整することができる。【選択図】図２
2008057653.tif 000002
【特許請求の範囲】
【請求項１】
筒と捻りばねと回転体とスパイラルロッドを有し、そのスパイラルロッドが筒の長手方向に移動することで回転体が回転し、その回転体の回転により前記捻りばねを巻き締め、巻き戻しすると共に、前記スパイラルロッドを回転することで回転体が一体的に回転するバランサー本体と、
前記スパイラルロッドが連結された可動部材を備え、
前記可動部材とともにスパイラルロッドを一方向に回転して捻りばねを巻き締めた状態で、その可動部材と前記筒を相互に回転しないように保持できると共に、その保持を解除できるようにしたことを特徴とするバランサー。
【請求項２】
筒と可動部材を、その筒の長手方向に相対的に接近する方向に移動することで、前記筒と前記可動部材が相互に回転しないように嵌合することで、可動部材と筒が相互に回転しないように保持し、前記筒と可動部材が嵌合した状態から筒と可動部材を離隔する方向に移動することで可動部材と筒の嵌合が外れて可動部材と筒の保持が解除されるようにした請求項１記載のバランサー。
【請求項３】
可動部材に調整用回転体を一方向に回転自在で、他方向には回転しないように設け、この調整用回転体にスパイラルロッドを連結した請求項１又は２に記載のバランサー。
【請求項４】
筒と捻りばねと回転体とスパイラルロッドを有し、そのスパイラルロッドが筒の長手方向に移動することで回転体が回転し、その回転体の回転により前記捻りばねを巻き締め、巻き戻しすると共に、前記スパイラルロッドを回転することで回転体が一体的に回転するバランサー本体と、
前記スパイラルロッドが連結された可動部材を備え、
前記スパイラルロッドを一方向に回転して捻りばねを巻き締めた状態で、そのスパイラルロッドと前記筒を相互に回転しないように保持できると共に、その保持を解除できるようにしたことを特徴とするバランサー。
【請求項５】
連結用治具を筒とスパイラルロッドに亘って連結することで筒とスパイラルロッドが相互に回転しないように保持し、その連結用治具を外すことで保持を解除できるようにした請求項４記載のバランサー。
【請求項６】
窓枠と、窓枠内に上下動自在に装着された少なくとも１枚の障子を有し、
この窓枠の縦枠に、前記請求項１〜５いずれか１項に記載のバランサーの筒を取付け、このバランサーの可動体を障子に取付けたことを特徴とする上げ下げ窓。
【発明の詳細な説明】
【技術分野】
【０００１】
本発明は、上げ下げ窓などに用いるスパイラルバランサーと呼ばれるバランサー及び、そのバランサーを備えた上げ下げ窓に関する。
【背景技術】
【０００２】
従来、上げ下げ窓においては、障子を任意の位置で停止できるようにする等のために、バランサーを用いている。
例えば、特許文献１にバランサーを用いた上げ下げ窓が開示されている。
前述のバランサーは、筒の内部に捻りばねを設け、この捻りばねの下端部に回転体を固着し、この回転体を筒の下端口部に回転自在に取付け、この回転体のスリット孔に螺旋杆（スパイラルロッド）を挿通し、この螺旋杆の上部を筒の内部に挿入すると共に、下端部にスライド装置（可動部材）を設け、このスライド装置を上下に移動することで螺旋杆が上下に移動し、それによって回転体が回転して捩りばねを巻き締め、巻き戻して捻り力の大きさを変えて、スライド装置を上方に移動する力（釣合力）を増減する、スパイラルバランサーと呼ばれるものである。
【０００３】
そして、前述のバランサーは次のようにして上げ下げ窓に取付ける。
上げ下げ窓の窓枠の縦枠に前記バランサーの筒を取付け、スライド装置を障子に取付け、その障子を下方に移動することで螺旋杆が下方に移動して回転体が一方向に回転し、捻りばねを巻き締めて捻り力（釣合力）が大きくなり、前記障子を上方に移動することで螺旋杆が上方に移動して回転体が他方向に回転し、捻りばねを巻き戻して捻り力（釣合力）が小さくなるようにする。
このようにすることで、障子の上下位置に応じた捻り力（釣合力）とすることが可能で、その障子を任意の位置で停止できる。
【０００４】
【特許文献１】特開平１１−６２３７３号公報
【発明の開示】
【発明が解決しようとする課題】
【０００５】
前述のバランサーを上げ下げ窓に取付けしない状態、いわゆる単体の状態では、そのスライド装置は自由に回転する状態であるから、捻りばねは最も巻き戻った状態で、捻りばねの捻り力はゼロである。
そして、バランサーは、前述の捻り力がゼロの状態で上げ下げ窓に取付けられる。
このために、障子の重量が重い場合等には釣合力が不足することがあるので、前述した従来のバランサーにおいては、スライド装置に調整軸を回転自在に設け、この調整軸に螺旋杆の下端を連結し、バランサーを前述のように上げ下げ窓に取付けた状態で、その調整軸を工具を用いて回転して螺旋杆を回転することで捻りばねを巻き締めて捻り力を大きくし、釣合力を調整できるようにしている。
【０００６】
しかしながら、前述のようにバランサーを上げ下げ窓に取付けた状態で、調整軸を前述のようにして回転するのは、狭い空間で実施することになるから、その作業が面倒で、やりづらい。
したがって、バランサーの釣合力の調整作業が面倒で、やりづらい。
【０００７】
本発明の目的は、バランサーを上げ下げ窓等に取付けしない単体の状態で釣合力を調整でき、その釣合力の調整作業が簡単で、やり易いようにしたバランサー及びそのバランサーを備えた上げ下げ窓を提供することである。
【課題を解決するための手段】
【０００８】
本発明のバランサーは、筒と捻りばねと回転体とスパイラルロッドを有し、そのスパイラルロッドが筒の長手方向に移動することで回転体が回転し、その回転体の回転により前記捻りばねを巻き締め、巻き戻しすると共に、前記スパイラルロッドを回転することで回転体が一体的に回転するバランサー本体と、
前記スパイラルロッドが連結された可動部材を備え、
前記可動部材とともにスパイラルロッドを一方向に回転して捻りばねを巻き締めた状態で、その可動部材と前記筒を相互に回転しないように保持できると共に、その保持を解除できるようにしたことを特徴とするバランサーである。
【０００９】
前述のバランサーにおいては、筒と可動部材を、その筒の長手方向に相対的に接近する方向に移動することで、前記筒と前記可動部材が相互に回転しないように嵌合することで、可動部材と筒が相互に回転しないように保持し、前記筒と可動部材が嵌合した状態から筒と可動部材を離隔する方向に移動することで可動部材と筒の嵌合が外れて可動部材と筒の保持が解除されるようにすることが好ましい。
このようにすれば、筒を回転しないように支持して、可動部材をスパイラルロッドとともに回転することで捻りばねを巻き締めし、可動部材を筒に向けて移動することで筒と可動部材が嵌合して相互に回転しないように保持されるから、その操作が簡単である。
また、捻りばねの捻り力で筒と可動部材が嵌合した状態を維持でき、上げ下げ窓等に取付ける時に嵌合が外れたりすることがない。
また、バランサーを上げ下げ窓に取付けた状態で障子を移動することで可動部材を筒から離れる方向に移動して保持を解除することができ、その保持を解除する操作が簡単である。
【００１０】
前述したバランサーにおいては、可動部材に調整用回転体を一方向に回転自在で、他方向には回転しないように設け、この調整用回転体にスパイラルロッドを連結することが好ましい。
このようにすれば、筒と可動部材又は筒とスパイラルロッドが相互に回転しないように保持した状態で、調整用回転体を一方向に回転して捻りばねを巻き締め方向に回転できる。
したがって、釣合力の調整作業がより一層簡単である。
【００１１】
本発明のバランサーは、筒と捻りばねと回転体とスパイラルロッドを有し、そのスパイラルロッドが筒の長手方向に移動することで回転体が回転し、その回転体の回転により前記捻りばねを巻き締め、巻き戻しすると共に、前記スパイラルロッドを回転することで回転体が一体的に回転するバランサー本体と、
前記スパイラルロッドが連結された可動部材を備え、
前記スパイラルロッドを一方向に回転して捻りばねを巻き締めた状態で、そのスパイラルロッドと前記筒を相互に回転しないように保持できると共に、その保持を解除できるようにしたことを特徴とするバランサーであっても良い。
【００１２】
このバランサーにおいては、連結用治具を筒とスパイラルロッドに亘って連結することで筒とスパイラルロッドが相互に回転しないように保持し、その連結用治具を外すことで保持を解除できるようにすることが好ましい。
このようにすれば、連結用治具を連結することで筒とスパイラルロッドが相対的に回転しないように保持し、その状態で上げ下げ窓等に取付けできる。
また、バランサーを上げ下げ窓に取付けた状態で連結用治具を取り外すことで保持を解除できる。
【００１３】
本発明の上げ下げ窓は、窓枠と、窓枠内に上下動自在に装着された少なくとも１枚の障子を有し、
この窓枠の縦枠に、前記した２つのバランサーのいずれか一方のバランサーの筒を取付け、このバランサーの可動体を障子に取付けたことを特徴とする上げ下げ窓である。
【発明の効果】
【００１４】
本発明のバランサーによれば、捻りばねを巻き締めした状態で筒と可動部材、又は筒とスパイラルロッドを相互に回転しないように保持できるので、そのバランサーの釣合力を上げ下げ窓等に取付けない単体の状態で調整でき、その釣合力の調整作業が簡単で、やり易い。
また、前述のように保持した状態で、バランサーを上げ下げ窓等に取付けた後に、その保持を解除すれば、バランサーとしての機能を発揮することができる。
【発明を実施するための最良の形態】
【００１５】
図１に示すように、窓枠１に障子２を上下移動自在に装着して上げ下げ窓としてある。図１においては、窓枠１の室内寄りと室外寄りに障子２がそれぞれ上下動自在に装着してある。これに限ることはなく、室内寄りの障子又は室外寄りの障子の一方のみを上下動自在に装着しても良い。
前記窓枠１の縦枠３と障子２とに亘ってバランサー４が取付けてある。
前記バランサー４は図２に示すように、筒（パイプ）１０内に捻りばね１１を設け、この捻りばね１１の上端部（長手方向一端部）を筒１０に固定し、下端部（長手方向他端部）に回転体１２が取付けてある。
この回転体１２は筒１０の下端口部（長手方向他端口部）１０ａに回転自在に取付けてある。この回転体１２内にスパイラルロッド（螺旋杆）１３が、そのスパイラルロッド１３が上下方向（長手方向）に移動すると回転体１２が回転すると共に、スパイラルロッド１３を回転すると回転体１２が一体となって回転するように挿通してある。例えば、回転体１２にはスパイラルロッド１３が挿通可能な形状のスリット孔１２ａが形成してある。前述の筒１０、捻りばね１１、回転体１２、スパイラルロッド１３でバランサー本体としてある。
【００１６】
前記スパイラルロッド１３の上端部（長手方向一端部）は筒４内に入り込んで捻りばね１１内に挿通し、下端部（長手方向他端部）は筒１０から突出している。そしてスパイラルロッド１３の下端部に可動部材１４が連結してあり、スパイラルロッド１３と可動部材１４は一体となって回転する。
この可動部材１４が障子２に取付けられる。
【００１７】
前記可動部材１４と前記筒１０は、前記捻りばね１１を巻き締めした状態で相互に回転しないように保持できると共に、その保持を解除できるようにしてある。
例えば、筒１０と可動部材１４を、その筒１０の長手方向に相対的に接近する方向に移動することで、筒１０と可動部材１４が相互に回転しないように嵌合して保持し、前述のように嵌合している状態から筒１０と可動部材１４を離隔する方向に移動することで嵌合が外れ、保持を解除する。
【００１８】
具体的には、図３に示すように筒１０の外周面１０ｂにおける下端部１０ｃを多角形状としてあり、可動部材１４は多角形状の凹部１４ａを有し、この凹部１４ａに前記下端部１０ｃが図４に示すように相互に回転しないように嵌合することで筒１０と可動部材１４を相互に回転しないように保持する。図３では下端部１０ｃを矩形状、凹部１４ａを矩形状の凹部として４つの面が接して嵌合するようにしてある。
【００１９】
前述の実施の形態では、筒１０を断面円形のパイプ１５と、そのパイプ１５の下端部に嵌合して取付けた外周面が多角形の筒状体１６より構成し、そのパイプ１５で前述の円形の外周面１０ｂとし、筒状体１６で前述の多角形状の下端部１０ｃとしてある。
前記可動部材１４に多角形の凹陥部１７を上面に開口して形成し、その凹陥部１７を前述の凹部１４ａとしてある。
このようにすることで、従来の筒１０と捻りばね１１と回転体１２とスパイラルロッド１３を備えたバランサー本体を利用して本発明のバランサー本体を簡単に製作できる。
【００２０】
図２に示すように、可動部材１４の凹陥部１７の底部にフック１８を固着し、スパイラルロッド１３の下端部にピン１９を設け、このピン１９とフック１８を係止してスパイラルロッド１３と可動部材１４を相互に回転しないように連結してある。
【００２１】
次に、釣合力の調整について説明する。
筒１０と可動部材１４を上げ下げ窓に取付けしないバランサー単体の状態では、前述した従来と同様に可動部材１４が筒１０に対して自由に回転するので、捻りばね１１が最も巻き戻った状態となって、捻りばね１１の捻り力はゼロで、釣合力は最も小さい。
前述の状態で筒１０を回転しないように支持して可動部材１４を筒１０に対して一方向に回転すると、その可動部材１４とともに回転体１２が一方向に回転し、捻りばね１０が巻き締められ、捻り力が生じる。
この状態で筒１０の下端部１０ｃ（筒状体１６）と可動部材１４の凹部１４ａ（凹陥部１７）を嵌合することで筒１０と可動部材１４を相互に回転しないように保持する。前述のように嵌合した状態においては、捻りばね１１の捻り力によって可動部材１４を筒１０側に移動する力が生じるので、筒１０と可動部材１４が外れることはない。
【００２２】
これによって、捻りばね１１は最も巻き戻った状態ではなく、ある程度巻き締められた状態となるから、捻りばね１１はある程度の大きさの捻り力を有し、釣合力は、その捻り力に見合うだけ大きくなる。
要するに、上げ下げ窓に取付ける以前のバランサー単体の状態で、可動部材１４を回転することで釣合力を調整できると共に、その調整した釣合力を維持できる。
なお、可動部材１４を筒１０の下端部１０ｃに嵌合するには、その可動部材１４を長手方向に移動することになるので、回転体１２が回転して捻りばね１１の捻り力が前述の調整時の値から変化するが、その変化する値は僅かであるから無視できるし、可動部材１４の移動距離を常に一定とすれば、その変化する値を一定にできるので、それをあらかじめ調整値に含ませることが可能である。
【００２３】
前述の実施の形態では、図３、図４に示す筒１０の外周面１０ｂの下端部１０ｃは矩形状で、可動部材１４の凹部１４ａは矩形状であるので、その筒体１０に対して可動部材１４を１／４回転毎に回転して嵌合することができるから、捻りばね１１を１／４回転毎に回転して捻り力を調整できる。
この場合には、下端部１０ｃ、可動部材１４に合いマーク１８ａをそれぞれ設け、その合いマーク１８ａを基準として回転した角度を知ることができる。
【００２４】
前述のようにして釣合力を調整したバランサー４は次のようにして上げ下げ窓に取付ける。
前記筒１０を縦枠３に回転しないように固定して取付ける。
前記可動部材１４を障子２に取付け、可動部材１４が筒１０に対して回転しないようにする。
この後に障子２を下方に移動して可動部材１４を下方に移動して筒１０と離隔して保持を解除し、筒１０に対して可動部材１４、スパイラルロッド１３が回転できるようにすることで、バランサーとしての機能を発揮するようにする。
なお、筒１０を縦枠３に回転しないように固定して取付けることで、可動部材１４が縦枠３で回転しないように支持できるようにすれば、前述のように筒１０を取付けた後に可動部材１４を下方に移動して下端部１０ｃと凹部１４ａを離脱して前述の保持を解除し、その後に可動部材１４を障子２に取付けできる。
【００２５】
図２において、障子２の上部に係合金具２０が取付けてある。この係合金具２０はケース２１内にロッド２２を突出位置と収納位置に摺動自在に設け、ケース２１内の図示しない弾性部材によってロッド２２が突出方向へ付勢されている。そして、ロッド２２が突出位置の場合は、縦枠３の図示しないヒレに係合することで障子２が上下方向のみに移動可能となり、そのロッド２２を摘み２３を持って収納位置とすることで縦枠３のヒレとの係合が解除されるため、障子２が係合軸１４ｃ（障子２の下端部と可動部材１４との連結部分）を中心に室内側方向に揺動自在に支持される。
【００２６】
次に、他の実施の形態を説明する。
前記パイプ１５に嵌合した筒状体１６を、パイプ１５と一体としても良い。
また、図５に示すように筒１０の外周面１０ｂを長手方向全長に亘って矩形状とし、その下端部１０ｃを矩形状としても良い。この場合には筒１０の内周面１０ｄを円形とすることが好ましい。
また、前述の筒１０の外周面１０ｂの下端部１０ｃと可動部材１７の凹部１７ａは、同一形状には限ることはなく、異なる形状でも良い。
例えば、前述の下端部１０ｃを６角形、前述の凹部１４ａを矩形状として回転しないように嵌合するようにする。
【００２７】
また、図６に示すように可動部材１４の凹部１４ａを６角形とし、前記筒１０の下端部１０ｃを長方形状として６角形の凹部１４ａの対向した２面に接して嵌合するようにする。この図６に示すようにすれば、１／６回転毎に調整できる。
【００２８】
また、図７に示すように筒１０の下端部に筒体２４を取付け、この筒体２４が可動部材１４の外周面１４ｂに回転しないように嵌合するようにする。この筒体２４は一体でも良い。
【００２９】
また、筒１０の下端部と可動部材１４の上端部に相互に嵌合する嵌合凸部と嵌合凹部を設け、その嵌合凸部と嵌合凹部を嵌合することで筒１０の下端部と可動部材１４を相互に回転しないように保持しても良い。
例えば、図８に示すように筒１０の下端部にピン２５を設け、可動部材１４に孔２６を上面に開口して形成し、そのピン２５を嵌合凸部とすると共に、孔２６を嵌合凹部とし、前記ピン２５を孔２６に嵌合して筒１０の下端部と可動部材１４を相互に回転しないように保持する。
以上の各実施の形態においては嵌合した時に操作者がクリック感を得られるようにすることが好ましい。
【００３０】
以上の各実施の形態では、筒１０と可動部材１４を相互に回転しないように保持したが、筒１０とスパイラルロッド１３を相互に回転しないように保持し、その保持を解除できるようにしても良い。
例えば、図９に示すように連結用治具３０を筒１０とスパイラルロッド１３に回転しないようにそれぞれ連結して筒１０とスパイラルロッド１３が相互に回転しないように保持する。
前記連結用治具３０は、本体３１に筒連結部３２とスパイラルロッド連結部３３を設けたもので、前記筒連結部３２は筒１０に形成した穴３４に嵌合するピン３５としてあり、前記スパイラルロッド連結部３３は一対の突片３６を有し、その一対の突片３６でスパイラルロッド１３を回転しないように挟持するものである。好ましくは、スパイラルロッド１３の直線状部１３ａを挟持するものである。
【００３１】
このようであるから、前述のように筒１０を回転しないように支持し、可動部材１４を持ってスパイラルロッド１３を回転して捻り力を調整した状態で、連結用治具３０のピン３５を筒１０の穴３４に嵌合して連結し、かつ一対の突片３６でスパイラルロッド１３の直線状部１３ａを挟持して連結することで、筒１０とスパイラルロッド１３を相互に回転しないように保持する。
なお、前述の筒１０に形成した穴３４は周方向に間隔を置いて４つ形成してあるので、前述のように１／４回転毎に調整できる。
【００３２】
また、連結用治具３０を、そのスパイラルロッド連結部３３をスパイラルロッド１３に連結して仮取付けし、この状態でスパイラルロッド１３とともに連結用治具３０を筒１０の回りに回転して捻り力を調整し、その後に連結用治具３０の筒連結部３２を筒１０に連結するようにしても良い。
このようにする場合には、図９に示すように本体３１に把手３７を設け、この把手３７を持ってスパイラルロッド１３とともに連結用治具３０を回転する。
【００３３】
前述の連結用治具３０の筒連結部３２は筒１０の外周面１０ｂを挟持するものでも良い。
例えば、図１０に示すように本体３１に一対の円弧片３８，３８をほぼ円形となるように設け、この一対の円弧片３８，３８の対向間隙間３９を筒１０に強く押しつけることで一対の円弧片３８，３８が弾性拡開変形し、その一対の円弧片３８，３８が筒１０の最大径部分を越えると弾性復元して筒１０の外周面１０ｂを挟持して回転しないように連結する。
このようにすれば、スパイラルロッド１３を筒１０に対して３６０度の任意の範囲で回転しないように連結できるから、前述の捻り力を精度良く調整できる。
【００３４】
前述した各連結用治具３０は、バランサーを上げ下げ窓に取付けた後に取り外し、前述の保持を解除する。
【００３５】
前述の各実施の形態では、可動部材１４を回転してスパイラルロッド１３を回転したり、スパイラルロッド１３を直接回転して捻り力を調整したが、可動部材１４に調整用回転体を設け、その調整用回転体を回転操作して捻り力を調整するようにしても良い。
例えば、図１１に示すように可動部材１４に調整用回転体４０を一方向に回転し、かつ他方向には回転しないように取付ける。例えば、可動部材１４の孔４１に調整用回転体４０を一方向クラッチ４２を介して取付ける。なお、一方向クラッチ４２の代わりに可動部材１４と調整用回転体４０とに亘ってラチェット機構を設けても良い。
前述の一方向とは捻りばね１１を巻き締めする方向である。
【００３６】
前記調整用回転体４０にスパイラルロッド１３を相互に回転しないように連結する。
例えば、調整用回転体４０にフック１８を取付け、このフック１８とスパイラルロッド１３をピン１９で連結する。
【００３７】
このようにすれば、図１１に示すように筒１０と可動部材１４を相互に回転しないように嵌合した状態で、調整用回転体４０をドライバーなどの工具を用いて一方向に回転することで、スパイラルロッド１３とともに回転体１２が一方向に回転し、捻りばね１１を巻き締め方向に回転して捻り力を調整できる。
したがって、捻り力の調整がより一層簡単である。
図１１に示す実施の形態では、筒１０の下端部１０ｃと可動部材１４の凹部１４ａを嵌合して筒１０と可動部材１４を相互に回転しないように保持したが、これに限ることはなく、前述した各実施の形態に示すようにして筒１０と可動部材１４を相互に回転しないように保持しても良い。
【００３８】
前述の各実施の形態のバランサーにおいては、図１２に示すように筒１０における外周面１０ｂと内周面１０ｄとの間の部分に、防音材、吸振材、補強材などの部材５０を設けることができる。
例えば、筒１０の外周面１０ｂを矩形とし、内周面１０ｄを円形とし、その４隅に空洞部５１を長手方向全長に亘って有するものとし、その各空洞部５１に前述の部材５０を挿入して設ける。
このようにすることで、バランサーのスパイラルロッド１３が上下動した時に発生する振動、騒音を低減することができる。
【図面の簡単な説明】
【００３９】
【図１】バランサーを備えた上げ下げ窓の概略正面図である。
【図２】バランサーの取付け状態の断面図である。
【図３】バランサーの筒と可動部材の嵌合する部分を示す斜視図である。
【図４】バランサーの筒と可動部材の嵌合した状態の斜視図である。
【図５】バランサーの第２の実施の形態を示す斜視図である。
【図６】可動部材と筒の嵌合部分を示す平面図である。
【図７】バランサーの第３の実施の形態を示す嵌合する部分の断面図である。
【図８】バランサーの第４の実施の形態を示す嵌合する部分の断面図である。
【図９】バランサーの筒とスパイラルロッドを連結用治具で連結する第１の実施の形態を示す斜視図である。
【図１０】バランサーの筒とスパイラルロッドを連結用治具で連結する第２の実施の形態を示す斜視図である。
【図１１】可動部材に調整用回転体を設けた実施の形態を示す断面図である。
【図１２】筒に防音材、吸振材、補強材を設けた実施の形態を示す筒の横断面図である。
【符号の説明】
【００４０】
１…窓枠、２…障子、３…縦枠、４…バランサー、１０…筒、１１…捻りばね、１２…回転体、１３…スパイラルロッド、１４…可動部材、３０…連結用治具、４０…調整用回転体。
【図１】
2008057653.tif 000003
【図２】
2008057653.tif 000004
【図３】
2008057653.tif 000005
【図４】
2008057653.tif 000006
【図５】
2008057653.tif 000007
【図６】
2008057653.tif 000008
【図７】
2008057653.tif 000009
【図８】
2008057653.tif 000010
【図９】
2008057653.tif 000011
【図１０】
2008057653.tif 000012
【図１１】
2008057653.tif 000013
【図１２】
2008057653.tif 000014